(57)【要約】【課題】外部から吸い込んだ空気を効率よく加熱することのできるサーキュレータを提供する。【解決手段】サーキュレータ１は、前後方向に延在する回転軸３１と、回転軸３１の延在方向の後側の面に設けられた後側吸気口２１４と、羽根筐体２１と、複数の羽根３２と、モータと、回転軸３１の延在方向に沿った複数の羽根３２の位置よりも後側の位置に設けられた加熱部４とを備えている。回転軸３１は、モータから加熱部４を貫通して前方向に延在し、加熱部４は、羽根筐体２１に固定され、回転軸３１の周囲を取り囲む絶縁部４１１と、絶縁部４１１に巻き回された発熱素子４２１とを含む。【選択図】図３
0003234348.tif 000002
【実用新案登録請求の範囲】
【請求項１】
サーキュレータであって、
前後方向に延在する回転軸と、
前記回転軸の延在方向の後側の面に設けられた後側吸気口と、前記回転軸の延在方向の前側の面に設けられた送風口とを含む筐体と、
前記回転軸に固定された複数の羽根であって、前記筐体の外部の空気を前記後側吸気口から前記筐体の内部に吸い込み、吸い込んだ空気を前記送風口から前記筐体の外部へ送る複数の羽根と、
前記回転軸および複数の羽根を回転駆動するモータと、
前記回転軸の延在方向に沿った前記複数の羽根の位置よりも後側の位置に設けられ、前記後側吸気口から前記筐体の内部に吸い込んだ空気を加熱する加熱部とを備え、
前記回転軸は、前記モータから前記加熱部を貫通して前方向に延在し、
前記加熱部は、
前記筐体に固定され、前記回転軸の周囲を取り囲む絶縁部と、
前記絶縁部に巻き回された発熱素子とを含む、サーキュレータ。
【請求項２】
前記筐体に固定され、前記絶縁部を支持する支持部をさらに備えた、請求項１に記載のサーキュレータ。
【請求項３】
前記回転軸の延在方向から見た場合に、前記発熱素子は、前記絶縁部よりも内径側に存在する部分よりも、前記絶縁部よりも外径側に存在する部分の方が長い、請求項１または２に記載のサーキュレータ。
【請求項４】
前記筐体は、前記後側吸気口の少なくとも一部に対して着脱可能に設けられたフィルタをさらに含む、請求項１〜３のいずれかに記載のサーキュレータ。
【請求項５】
前記筐体は、前記筐体の側面に設けられた側面吸気口をさらに含む、請求項１〜４のいずれかに記載のサーキュレータ。
【請求項６】
前記側面吸気口から前記複数の羽根へ向かう空気の流路の少なくとも一部を遮蔽した閉状態と、前記空気の流路のうち前記閉状態で遮蔽した空気の流路の少なくとも一部を開放した開状態との間で状態が切り替わるシャッタをさらに備えた、請求項５に記載のサーキュレータ。
【請求項７】
前記シャッタの状態を制御する制御部をさらに備え、
前記制御部は、前記複数の羽根の回転速度が第１の速度である場合に前記シャッタの状態を閉状態にし、前記複数の羽根の回転速度が前記第１の速度よりも速い第２の速度である場合に前記シャッタの状態を開状態にする、請求項６に記載のサーキュレータ。
【請求項８】
前記筐体の側面には、吸気口が設けられない、請求項１〜４のいずれかに記載のサーキュレータ。
【考案の詳細な説明】
【技術分野】
【０００１】
本考案は、サーキュレータに関し、より特定的には、加熱部を備えたサーキュレータに関する。
【背景技術】
【０００２】
サーキュレータは、設置された空間の空気を循環させる家電製品として知られている。サーキュレータは、部屋の換気、冷房または暖房の効率化、および洗濯物の乾燥促進などの目的で使用される。
【０００３】
なお、下記特許文献１には、回転軸周りに複数の羽根を回転させることにより、外部から吸い込んだ空気をヒータで加熱し、加熱した空気を外部に送風する扇風機兼用電気ストーブが開示されている。この扇風機兼用電気ストーブは、本体の前面に配置される反射板と、この反射板と間隔を存してこの反射板の略中央部に設けられたファンと、このファンを回転駆動するモータと、ファンの外側近傍に設けられたヒータと、モータを正逆回転制御する制御部とを備えている。この扇風機兼用電気ストーブは、ヒータへの通電時には外気を中央部から吸入して外周囲から放出し、ヒータへの遮断時には外気を外周囲から吸入して中央部から放出する。
【先行技術文献】
【特許文献】
【０００４】
【特許文献１】特開２０１３−２０９７９４号公報
【考案の概要】
【考案が解決しようとする課題】
【０００５】
洗濯物の乾燥をさらに促進する方法、またはサーキュレータそのものを暖房として使用する方法として、サーキュレータに加熱部を搭載する方法が考えられる。しかし、サーキュレータに加熱部を搭載した場合には、外部から吸い込んだ空気を加熱部にて効率よく加熱することができず、送風する空気の温度が低かった。
【０００６】
本考案は、上記課題を解決するためのものであり、その目的は、外部から吸い込んだ空気を効率よく加熱することのできるサーキュレータを提供することである。
【課題を解決するための手段】
【０００７】
本考案の一の局面に従うサーキュレータは、前後方向に延在する回転軸と、回転軸の延在方向の後側の面に設けられた後側吸気口と、回転軸の延在方向の前側の面に設けられた送風口とを含む筐体と、回転軸に固定された複数の羽根であって、筐体の外部の空気を後側吸気口から筐体の内部に吸い込み、吸い込んだ空気を送風口から筐体の外部へ送る複数の羽根と、回転軸および複数の羽根を回転駆動するモータと、回転軸の延在方向に沿った複数の羽根の位置よりも後側の位置に設けられ、後側吸気口から筐体の内部に吸い込んだ空気を加熱する加熱部とを備え、回転軸は、モータから加熱部を貫通して前方向に延在し、加熱部は、筐体に固定され、回転軸の周囲を取り囲む絶縁部と、絶縁部に巻き回された発熱素子とを含む。
【０００８】
上記サーキュレータにおいて好ましくは、筐体に固定され、第１および第２の絶縁部を支持する支持部をさらに備える。
【０００９】
上記サーキュレータにおいて好ましくは、回転軸の延在方向から見た場合に、発熱素子は、絶縁部よりも内径側に存在する部分よりも、絶縁部よりも外径側に存在する部分の方が長い。
【００１０】
上記サーキュレータにおいて好ましくは、筐体は、後側吸気口の少なくとも一部に対して着脱可能に設けられたフィルタをさらに含む。
【００１１】
上記サーキュレータにおいて好ましくは、筐体は、筐体の側面に設けられた側面吸気口をさらに含む。
【００１２】
上記サーキュレータにおいて好ましくは、側面吸気口から複数の羽根へ向かう空気の流路の少なくとも一部を遮蔽した閉状態と、空気の流路のうち閉状態で遮蔽した空気の流路の少なくとも一部を開放した開状態との間で状態が切り替わるシャッタをさらに備える。
【００１３】
上記サーキュレータにおいて好ましくは、シャッタの状態を制御する制御部をさらに備え、制御部は、複数の羽根の回転速度が第１の速度である場合にシャッタの状態を閉状態にし、複数の羽根の回転速度が第１の速度よりも速い第２の速度である場合にシャッタの状態を開状態にする。
【００１４】
上記サーキュレータにおいて好ましくは、筐体の側面には、吸気口が設けられない。
【考案の効果】
【００１５】
本考案によれば、外部から吸い込んだ空気を効率よく加熱することのできるサーキュレータを提供することができる。
【図面の簡単な説明】
【００１６】
【図１】本考案の一実施の形態におけるサーキュレータ１の構成を模式的に示す斜視図である。
【図２】本考案の一実施の形態におけるサーキュレータ１の構成を模式的に示す正面図である。
【図３】シャッタ６が開状態である場合の羽根筐体２１などの内部の構成を示す断面図である。
【図４】加熱部４および支持部５の構成を模式的に示す正面図である。
【図５】加熱部４の構成を模式的に示す図である。
【図６】フィルタ２１３を後側ケース２１２から取り外した状態を模式的に示す斜視図である。
【図７】シャッタ６が開状態である場合および閉状態である場合の各々の、羽根筐体２１の内部の構成を示す断面斜視図である。
【図８】本考案の一実施の形態における、後側吸気口２１４から送風口２１６へ向かう空気と発熱素子４２１および４２２との関係を示す図である。
【図９】本考案の一実施の形態の変形例における羽根筐体２１の内部の構成を示す断面図である。
【考案を実施するための形態】
【００１７】
以下、本考案の一実施の形態について、図面に基づいて説明する。なお、以降の説明においては、回転軸３１（回転軸の一例）の延在方向に沿って送風口２１６へ向かう方向を前、回転軸３１に沿って後側吸気口２１４へ向かう方向を後と記している。
【００１８】
図１および図２は、本考案の一実施の形態におけるサーキュレータ１の構成を模式的に示す図である。図１は斜視図であり、図２は正面図である。
【００１９】
図１および図２を参照して、サーキュレータ１（サーキュレータの一例）は、筐体２と、送風部３と、加熱部４（加熱部の一例）と、支持部５（支持部の一例）と、シャッタ６（シャッタの一例）と、制御部７（制御部の一例）とを備えている。筐体２の内部には、送風部３、加熱部４、支持部５、シャッタ６、および制御部７が設けられている。
【００２０】
筐体２は、羽根筐体２１（筐体の一例）と、首部２２と、スタンド２３とを含んでいる。羽根筐体２１の内部には、送風部３、加熱部４、支持部５、およびシャッタ６が設けられている。羽根筐体２１は、首部２２に対して矢印ＡＲ１で示すように軸ＡＸ１周りに揺動可能である。羽根筐体２１は、適切な向きに送風されるように、制御部７から供給される電力により軸ＡＸ１周りに回転されてもよいし、サーキュレータ１の使用者の手により軸ＡＸ１周りに回転されてもよい。
【００２１】
首部２２は、羽根筐体２１の下部に設けられている。首部２２は、スタンド２３と羽根筐体２１とを接続している。首部２２はスタンド２３から上方に延びている。羽根筐体２１および首部２２は、制御部７から供給される電力により、スタンド２３に対して矢印ＡＲ２で示すように軸ＡＸ２周りに揺動可能である。羽根筐体２１および首部２２がスタンド２３に対して矢印ＡＲ２で示すように軸ＡＸ２周りに揺動する機能は、首振り機能と呼ばれる。
【００２２】
スタンド２３は、首部２２の下方に設けられている。スタンド２３は、制御部７を収容している。スタンド２３の上面には操作部２３１が設けられている。操作部２３１は、サーキュレータ１の使用者の操作を受け付ける。操作部２３１は、たとえばサーキュレータ１の電源をオンおよびオフする操作、風量を調節する操作、暖房モードと衣類乾燥モードと送風モードとの間でサーキュレータ１の運転状態を切り替える操作、サーキュレータ１の電源をオンまたはオンするまでの時間を設定する操作、および羽根筐体２１の首振り機能をオンまたはオフする操作などを受け付ける。
【００２３】
制御部７は、操作部２３１で受け付けた設定または操作に基づいて、サーキュレータ１全体の動作を制御する。
【００２４】
図３は、シャッタ６が開状態である場合の羽根筐体２１などの内部の構成を示す断面図である。図３は、図１のＩＩＩ−ＩＩＩ線に沿った断面を示している。
【００２５】
図３を参照して、羽根筐体２１は、前側ケース２１１と、後側ケース２１２と、フィルタ２１３（フィルタの一例）と、後側吸気口２１４（後側吸気口の一例）と、側面吸気口２１５（側面吸気口の一例）と、送風口２１６（送風口の一例）と、把手２１７とを含んでいる。前側ケース２１１および後側ケース２１２は、互いに嵌め合わされており、羽根筐体２１の内部の空間を構成している。前側ケース２１１は、図示しないねじにより、後側ケース２１２に対して着脱可能に固定されている。前側ケース２１１は、略円筒形状を有している。前側ケース２１１の内部には、送風部３の複数の羽根３２およびスリーブ３５などが設けられている。前側ケース２１１における回転軸３１の延在方向の前側の面（前面）には、送風口２１６が設けられている。送風口２１６は、主に弧状を有する複数の孔により構成されている。羽根筐体２１（前側ケース２１１）の側面には、側面吸気口２１５が設けられている。側面吸気口２１５は、たとえば、羽根筐体２１（前側ケース２１１）の側面における、少なくとも回転軸３１の延在方向に沿った加熱部４の前端４ａの位置よりも前の領域に設けられている。側面吸気口２１５は、矩形状または円形状を有する複数の孔により構成されている。
【００２６】
後側ケース２１２は、回転軸３１の延在方向に沿った前側ケース２１１の位置よりも後側の位置に設けられている。後側ケース２１２は、略半球形状を有している。後側ケース２１２の内部には、加熱部４などが設けられている。後側ケース２１２における回転軸３１の延在方向の後側の面（後面）には、後側吸気口２１４および把手２１７が設けられている。後側吸気口２１４は、主に矩形状を有する複数の孔により構成されている。把手２１７は、サーキュレータ１の持ち運びの際などにサーキュレータ１の使用者によって把持される部分である。
【００２７】
フィルタ２１３は、後側吸気口２１４の少なくとも一部に対して着脱可能に設けられている。フィルタ２１３は、空気中の埃などが加熱部４に入り込むことを防止する。
【００２８】
送風部３は、回転軸３１と、複数の羽根３２（複数の羽根の一例）と、モータ３３と、雌ねじ３４と、スリーブ３５とを含んでいる。回転軸３１は前後方向に延在している。回転軸３１の後端はモータ３３に固定されており、回転軸３１はモータ３３から前方に突出している。回転軸３１は、加熱部４を貫通している。
【００２９】
複数の羽根３２の各々はスリーブ３５と一体化しており、回転軸３１に固定されている。複数の羽根３２の各々はスリーブ３５から外径側に延在している。スリーブ３５は回転軸３１に固定されており、複数の羽根３２およびスリーブ３５は、回転軸３１とともに回転する。複数の羽根３２は、羽根筐体２１の外部の空気を後側吸気口２１４および側面吸気口２１５の各々から筐体の内部に吸い込む。複数の羽根３２は、吸い込んだ空気を送風口２１６から羽根筐体２１の外部へ送る。
【００３０】
モータ３３は、制御部７から供給される電力により、回転軸３１を回転駆動する。モータ３３は、回転軸３１の延在方向に沿った加熱部４の位置よりも後側の位置に設けられている。
【００３１】
雌ねじ３４は、回転軸３１の先端に形成された雄ねじに対して、ねじ作用により嵌め込まれている。雌ねじ３４は、支持部５との間でスリーブ３５を挟むことで、複数の羽根３２およびスリーブ３５の回転軸３１に沿った位置を固定する。雌ねじ３４を回転軸３１から取り外すことで、複数の羽根３２およびスリーブ３５は回転軸３１から取り外すことが可能である。
【００３２】
加熱部４は、後側吸気口２１４から羽根筐体２１の内部に吸い込んだ空気を加熱する。加熱部４は、回転軸３１の延在方向に沿った複数の羽根３２およびスリーブ３５の位置よりも後側の位置に設けられている。
【００３３】
支持部５は、羽根筐体２１に固定されている。支持部５は、加熱部４を支持する。また支持部５は、複数の羽根３２およびスリーブ３５の回転軸３１に沿った位置を固定する。
【００３４】
シャッタ６は、支持部５の外径側支持部５２の外周面に設けられている。シャッタ６は、外径側支持部５２の外周面に沿って前後方向に移動可能である。シャッタ６は、外径側支持部５２の外周面の全周にわたって設けられている。シャッタ６は、支持部５の外径側支持部５２の外周面の一部のみに設けられていてもよい。シャッタ６は、支持部５の内部吸気口５４を開閉する。シャッタ６は、羽根筐体２１の側面に設けられていてもよく、側面吸気口２１５を開閉するものであってもよい。
【００３５】
図４は、加熱部４および支持部５の構成を模式的に示す正面図である。図５は、加熱部４の構成を模式的に示す図である。図５（ａ）は正面図であり、図５（ｂ）は斜視図である。なお図４および図５では、絶縁部４１１および４１２の各々よりも内径側に存在する発熱素子４２１および４２２の各々の部分の図示が省略されている。
【００３６】
図３〜図５を参照して、加熱部は、絶縁部４１１（第１の絶縁部の一例）と、絶縁部４１２（第２の絶縁部の一例）と、発熱素子４２１（第１の発熱素子の一例）と、発熱素子４２２（第２の発熱素子の一例）と、基板４３と、固定部４４とを含んでいる。
【００３７】
絶縁部４１１および４１２の各々は、絶縁体よりなっており、支持部５を介して羽根筐体２１に固定されている。絶縁部４１１および４１２の各々は、発熱素子４２１および４２２の各々を筐体２から絶縁した状態で保持する。絶縁部４１１および４１２の各々は、回転軸３１の延在方向から見た場合にたとえば環状を有している。絶縁部４１１は、回転軸３１の周囲を取り囲んでいる。絶縁部４１２は、回転軸３１の延在方向に沿った絶縁部４１１の位置よりも後側の位置において、回転軸３１の周囲を取り囲んでいる。絶縁部４１１および４１２の各々の延在方向は、回転軸３１の延在方向と直交している。
【００３８】
発熱素子４２１および４２１の各々は、導線であり、絶縁部４１１および４１２の各々に巻き回されている。制御部７が供給する電力により発熱素子４２１および４２２の各々には電流が流れる。これにより、発熱素子４２１および４２２の各々は発熱し、羽根筐体２１の内部の空気を加熱する。発熱素子４２１および４２２の各々は、たとえばニクロム線よりなっている。発熱素子４２１は、固定位置４２３で絶縁部４１１を前後方向から挟み込むことにより、絶縁部４１１に固定されている。発熱素子４２２は、固定位置４２４で絶縁部４１２を前後方向から挟み込むことにより、絶縁部４１２に固定されている。
【００３９】
回転軸３１の延在方向から見た場合に、固定位置４２３および４２４の各々は、発熱素子４２１および４２２の各々における径方向の中央部分よりも内径側に設けられている。言い換えれば、絶縁部４１１および４１２の各々よりも内径側に存在する発熱素子４２１および４２２の各々の部分よりも、絶縁部４１１および４１２の各々よりも外径側に存在する発熱素子４２１および４２２の各々の部分の方が長くなっている。これにより、絶縁部４１１および４１２の各々の外径側の空間に発熱素子４２１および４２２の各々が突出するので、後側吸気口２１４から送風口２１６へ向かう空気の大部分が発熱素子４２１および４２２を通過するようになる。その結果、羽根筐体２１の内部において空気を効率的に加熱することができる。
【００４０】
基板４３は、たとえば、サーキュレータ１が過熱した場合に発熱素子４２１および４２２の各々への電力の供給を緊急停止するための電気回路（ヒューズなど）を含んでいる。
【００４１】
固定部４４は、絶縁部４１１および４１２の各々の内径側から絶縁部４１１および４１２の各々を支持している。回転軸３１の延在方向から見た場合の固定部４４の中心部には、回転軸３１を通すための孔４４１が形成されている。
【００４２】
支持部５は、内径側支持部５１と、外径側支持部５２と、複数の接続部５３と、内部吸気口５４と、４つの雄ネジ５５とを含んでいる。内径側支持部５１は、固定部４４を固定している。回転軸３１の延在方向から見た場合の内径側支持部５１の中心部には、回転軸３１を通すための孔５１１が形成されている。
【００４３】
外径側支持部５２は、内径側支持部５１の外径側に設けられている。外径側支持部５２は、略円筒形状を有しており、４つの雄ネジ５５により後側ケース２１２に固定されている。外径側支持部５２は、加熱部４の外周を取り囲んでいる。回転軸３１の延在方向に沿った外径側支持部５２の前端の位置は、回転軸３１に沿った後側ケース２１２の前端の位置とほぼ同じであり、回転軸３１の延在方向に沿った加熱部４の前端４ａの位置よりも前側に存在する。回転軸３１に沿った外径側支持部５２の後端の位置は、加熱部４の後端の位置よりも後側に存在する。外径側支持部５２の外径側には側面吸気口２１５が存在している。外径側支持部５２は、矢印ＡＲ３で示すように、後側吸気口２１４から羽根筐体２１の内部に吸い込んだ空気を送風口２１６へガイドする。
【００４４】
複数の接続部５３の各々は、内径側支持部５１から外径方向に突出しており、内径側支持部５１と外径側支持部５２とを接続している。
【００４５】
内部吸気口５４は、外径側支持部５２の側面に設けられている。内部吸気口５４は、矢印ＡＲ４で示すように、側面吸気口２１５から羽根筐体２１の内部に吸い込んだ空気（外径側支持部５２の外径側に存在する空気）を送風部３へ（外径側支持部５２の内径側へ）ガイドする。
【００４６】
図６は、フィルタ２１３を後側ケース２１２から取り外した状態を模式的に示す斜視図である。
【００４７】
図６を参照して、フィルタ２１３は、複数の係合部２１３ａと、把手２１３ｂと、枠体２１３ｃと、フィルタ膜２１３ｄとを含んでいる。枠体２１３ｃには矩形状の複数の孔が形成されている。フィルタ膜２１３ｄは、これらの孔を枠体２１３ｃの前側から覆うように、枠体２１３ｃに対して着脱可能に固定されている。枠体２１３ｃには、複数の係合部２１３ａと、把手２１３ｂとが設けられている。後側ケース２１２に設けられた複数の係合部２１２ａの各々に対して、複数の係合部２１３ａの各々を係合させることにより、フィルタ２１３は後側ケース２１２に固定される。一方、把手２１３ｂを後方へ引くことにより、複数の係合部２１２ａの各々と複数の係合部２１３ａの各々との係合が解除され、フィルタ２１３は後側ケース２１２から取り外される。フィルタ２１３が取り外されると、後側吸気口２１４におけるフィルタ２１３に覆われていた部分が羽根筐体２１の外部に露出する。
【００４８】
図７は、シャッタ６が閉状態である場合および開状態である場合の各々の、羽根筐体２１の内部の構成を示す断面斜視図である。図７（ａ）は閉状態であり、図７（ｂ）は開状態である。
【００４９】
図７を参照して、シャッタ６の状態は、閉状態と開状態との間で切り替わる。閉状態とは、側面吸気口２１５から複数の羽根３２へ向かう空気の流路（矢印ＡＲ４で示す流路）の少なくとも一部を遮蔽した状態である。本実施の形態では、閉状態は、側面吸気口２１５から複数の羽根３２へ向かう空気の流路上に存在する内部吸気口５４を、シャッタ６が完全に覆った状態である。開状態とは、側面吸気口２１５から複数の羽根３２へ向かう空気の流路のうち、閉状態で遮蔽した空気の流路の少なくとも一部を開放した状態である。本実施の形態では、開状態は、側面吸気口２１５から複数の羽根３２へ向かう空気の流路上に存在する内部吸気口５４の一部を開放し、他の部分をシャッタ６が覆った状態である。シャッタ６の状態は、制御部７により制御される。シャッタ６の状態は、サーキュレータ１の使用者の手により切り替えられてもよい。
【００５０】
シャッタ６の状態が制御部７により制御される場合、制御部７は、設定されたモードに応じてサーキュレータ１の運転状態を次のように制御してもよい。
【００５１】
暖房モードは、比較的高温の少量の空気を送風するモードである。サーキュレータ１の運転状態が暖房モードに設定された場合には、制御部７は、複数の羽根３２の回転速度を第１の速度（低速）にすることで、送風部３の送風量を少量に制御する。制御部７は、シャッタ６の状態を閉状態（図７（ａ））にする。さらに制御部７は、加熱部４に電力を供給することで加熱部４による加熱を行う。暖房モードの場合には、後側吸気口２１４からのみ空気が吸い込まれ、側面吸気口２１５からは空気が吸い込まれないため、羽根筐体２１の内部に吸い込まれる空気の量が減少する。また、後側吸気口２１４から吸い込まれた空気は、矢印ＡＲ３で示すように、外径側支持部５２によって送風口２１６にガイドされ、その際に加熱部４を通過して加熱され、送風口２１６から送風される。その結果、少量の空気が加熱部４に導入されて加熱されるため、比較的高温で比較的少量の空気が送風される。
【００５２】
衣類乾燥モードとは、比較的低温の多量の空気を送風するモードである。サーキュレータ１の運転状態が衣類乾燥モードに設定された場合には、制御部７は、複数の羽根３２の回転速度を第１の速度よりも速い第２の速度（高速）にすることで、送風部３の送風量を多量に制御する。制御部７は、シャッタ６の状態を開状態（図７（ｂ））にする。さらに制御部７は、加熱部４に電力を供給することで加熱部４による加熱を行う。衣類乾燥モードの場合には、後側吸気口２１４からに加えて側面吸気口２１５からも空気が吸い込まれる。側面吸気口２１５から吸い込まれた空気は、矢印ＡＲ４で示すように、加熱部４を通過せずに内部吸気口５４を経由して複数の羽根３２に向かい、送風口２１６から送風される。その結果、加熱部４によって加熱された空気とともに、側面吸気口２１５から吸い込まれた低温の空気も送風されるため、比較的低温（室温よりも高温）で比較的多量の空気が送風される。
【００５３】
送風モードとは、室温の空気を送風するモードである。サーキュレータ１の運転状態が送風モードに設定された場合には、制御部７は、送風部３の送風量を設定された量に制御する。制御部７は、シャッタ６の状態を開状態にする。さらに制御部７は、加熱部４への電力の供給を停止する。その結果、後側吸気口２１４および側面吸気口２１５の各々から吸い込まれた室温の空気がそのまま送風されるため、送風する空気の温度が室温となる。
【００５４】
［実施の形態の効果］
【００５５】
図８は、本考案の一実施の形態における、後側吸気口２１４から送風口２１６へ向かう空気と発熱素子４２１および４２２との関係を示す図である。
【００５６】
図８を参照して、本実施の形態においては、回転軸３１の延在方向に並べられた２つの発熱素子４２１および４２２の各々が、回転軸３１の周囲を取り囲む絶縁部４１１および４１２の各々に巻き回されている。これにより、後側吸気口２１４から送風口２１６へ向かう空気（矢印ＡＲ３で示す方向に流通する空気）の多くが４本の発熱素子４２２ａ、４２２ｂ、４２１ａ、および４２１ｂをこの順序で通過する。その結果、外部から吸い込んだ空気を効率よく加熱することができる。
【００５７】
［変形例］
【００５８】
図９は、本考案の一実施の形態の変形例における羽根筐体２１の内部の構成を示す断面図である。
【００５９】
図９を参照して、本変形例において、羽根筐体２１の側面には、側面吸気口は設けられていない。羽根筐体２１の吸気口は、羽根筐体２１の後面に設けられた後側吸気口２１４のみである。
【００６０】
本変形例によれば、羽根筐体２１の側面を通じた羽根筐体２１の内部への空気の流入が遮断される。これにより、羽根筐体２１の内部において、後側吸気口２１４、加熱部４、送風部３、および送風口２１６の各々をこの順序で通過する空気の流れ（矢印ＡＲ３で示す空気の流れ）を作りやすくなる。その結果、外部から吸い込んだ空気を効率よく加熱することができる。
【００６１】
［その他］
【００６２】
加熱部は、筐体に固定され、回転軸の周囲を取り囲む１つのみの絶縁部と、絶縁部に巻き回された１つのみの発熱素子とを含むものであってもよい。
【００６３】
上述の実施の形態および変形例は、すべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【符号の説明】
【００６４】
１  サーキュレータ（サーキュレータの一例）
２  筐体
３  送風部
４  加熱部（加熱部の一例）
４ａ  加熱部の前端
５  支持部（支持部の一例）
６  シャッタ（シャッタの一例）
７  制御部（制御部の一例）
２１  筐体の羽根筐体（筐体の一例）
２２  筐体の首部
２３  筐体のスタンド
３１  送風部の回転軸（回転軸の一例）
３２  送風部の複数の羽根（複数の羽根の一例）
３３  送風部のモータ
３４  送風部の雌ねじ
３５  送風部のスリーブ
４３  加熱部の基板
４４  加熱部の固定部
５１  支持部の内径側支持部
５２  支持部の外径側支持部
５３  支持部の接続部
５４  支持部の内部吸気口
５５  支持部の雄ネジ
２１１  羽根筐体の前側ケース
２１２  羽根筐体の後側ケース
２１２ａ  後側ケースの係合部
２１３  羽根筐体のフィルタ（フィルタの一例）
２１３ａ  フィルタの係合部
２１３ｂ  フィルタの把手
２１３ｃ  フィルタの枠体
２１３ｄ  フィルタのフィルタ膜
２１４  羽根筐体の後側吸気口（後側吸気口の一例）
２１５  羽根筐体の側面吸気口（側面吸気口の一例）
２１６  羽根筐体の送風口（送風口の一例）
２１７  羽根筐体の把手
２３１  本体の操作部
４１１，４１２  加熱部の絶縁部（第１および第２の絶縁部の一例）
４２１，４２２，４２１ａ，４２１ｂ，４２２ａ，４２２ｂ  加熱部の発熱素子（第１および第２の発熱素子の一例）
４２３，４２４  発熱素子の固定位置
４４１  加熱部の固定部の孔
５１１  内径側支持部の孔
【図１】
0003234348.tif 000003
【図２】
0003234348.tif 000004
【図３】
0003234348.tif 000005
【図４】
0003234348.tif 000006
【図５】
0003234348.tif 000007
【図６】
0003234348.tif 000008
【図７】
0003234348.tif 000009
【図８】
0003234348.tif 000010
【図９】
0003234348.tif 000011